Podtech/llm-jp-corpus-v4-ja_patent huggingface dataset:
(57)【要約】      （修正有）【課題】漫画などに登場する原始人の骨付き肉のイメージのままに、一般家庭や店舗で再現できる食肉用装飾部品を提供する。【解決手段】片辺の先端部が動物の骨の形を模した丸みをおびた形状部を持ち、もう片辺の先端部が、尖っている形状部を持つ棒状の雄の部品と、片辺の先端部が動物の骨の形を模した丸みをおびた形状部を持ち、もう片辺の先端部が、雄の部品の尖っている形状部をしっかりと受け止める為の窪みのある形状部を持つ雌の部品の２つで構成される。【選択図】図１
0003160597.tif 000002
【実用新案登録請求の範囲】
【請求項１】
片辺の先端部が動物の骨の形を模した丸みをおびた形状部を持ち、もう片辺の先端部が、尖っている形状部を持つ棒状の雄の部品と、片辺の先端部が動物の骨の形を模した丸みをおびた形状部を持ち、もう片辺の先端部が、雄の部品の尖っている形状部をしっかりと受け止める為の窪みのある形状部を持つ雌の部品の２つで構成される食肉用装飾部品。
【考案の詳細な説明】
【技術分野】
【０００１】  本考案は、食肉に刺して使用する装飾用骨型のスティックである。
【背景技術】
【０００２】  原始人が漫画などで食べる骨付き肉を実際に食べてみたいという消費者の欲求に応え、食肉に骨などを刺し販売するケースが多く見られる。  「骨付き肉」「原始人の肉」「原始肉」などの名称で呼ばれることが一般的で、インターネット検索でも、多くヒットする。
これらの肉の装飾が、一般の家庭や、店舗によって簡単に再現できる器具が、望まれる。
【先行技術文献】
【特許文献】
【０００３】なし
【非特許文献】
【０００４】なし
【非特許文献１】
【考案の概要】
【考案が解決しようとする課題】
【０００５】  原始人が漫画などで食べる骨付き肉を実際に食べてみたいという消費者の欲求に応え、食肉に骨を刺し販売するケースが多く見られる。
これらの肉の装飾が、一般の家庭や、店舗によって簡単に再現できる物品が、望まれる。  動物の骨などを使うケースがあるが、形が歪になる。
【課題を解決するための手段】
【０００６】  動物の骨を象った食肉に突き刺して使用する棒状の装飾品を作成することで、漫画などに登場する原始人の骨付き肉のイメージのままに、一般家庭や店舗で再現できる。
【考案の効果】
【０００７】  漫画などに登場する原始人の食べる肉のイメージのままに、一般家庭や店舗で再現できることで、食卓が楽しくなり、食品と玩具が融合されることにより、食品業界、玩具業界の活性化につながる。
【図面の簡単な説明】
【０００８】
【図１】  食肉装飾用骨型スティックの正面図
【図２】  食肉装飾用骨型スティックの正面図  図１から角度を９０度変えたもの
【図３】  食肉装飾用骨型スティック接続部の正面図
【図４】  食肉装飾用骨型スティックの２つのパーツを接続した状態の正面図
【図５】  食肉に突き刺した状態で食肉装飾用骨型スティックの２つのパーツを接続した状態の斜視図
【考案を実施するための形態】
【０００９】  本考案は、原始人の食べる骨付き肉のイメージを一般家庭で、簡単に再現する為の食肉にさして使用する器具である。［図５］参照。
本考案は、雄部品（１）、雌部品（２）の２つの部品から構成される。［図１］［図２］［図３］参照。
雄部品（１）・・・棒状で、片辺の先端部が丸みをおび動物の骨を模した形状部（５）を持ち、もう片辺の先端が、尖っている形状部（３）を持つ部品。
雌部品（２）・・・棒状で、片辺の先端部が丸みをおび動物の骨を模した形状部（６）を持ち、もう片辺の先端部が、雄部品（１）の尖っている形状部（３）をしっかりと受け止める窪みのある形状部（４）を持つ部品。
【実施例】
【００１０】  本考案は、雄部品（１）、雌部品（２）の２つの部品から構成される。［図１］［図２］［図３］参照。
雄部品（１）・・・棒状で、片辺の先端が丸みをおび動物の骨を模した形状部（５）を持ち、もう片辺の先端が、尖っている形状部（３）を持つ部品。
雌部品（２）・・・棒状で、片辺の先端が丸みをおび動物の骨を模した形状部（６）を持ち、もう片辺の先端部が、雄部品（１）の尖っている形状部（３）をしっかりと受け止める窪みのある形状部（４）を持つ部品。
これらのパーツを組み合わせた実施例として・・・雄部品（１）を尖っている形状部（３）を使って、食肉（７）に突き刺し、そのまま貫通させ、飛び出した雄部品（１）の尖っている形状部（３）を雌部品（２）のしっかりと受け止める窪みのある形状部（４）に結合させることで、原始人の食べる肉のイメージを一般家庭で、簡単に再現することができる。［図４］［図５］を参照。
【産業上の利用可能性】
【００１１】  漫画やテレビなどに登場する原始人の食べる骨付き肉のイメージのままに、一般家庭や店舗で再現できる。
【符号の説明】
【００１２】  １  雄部品
２  雌部品
３  雄部品の尖っている形状部
４  雌部品の窪みのある形状部
５  雄部品の動物の骨を模した形状部
６  雌部品の動物の骨を模した形状部
７  食肉
【図１】
0003160597.tif 000003
【図２】
0003160597.tif 000004
【図３】
0003160597.tif 000005
【図４】
0003160597.tif 000006
【図５】
0003160597.tif 000007
(57)【要約】      （修正有）【課題】風雨時に骨が容易に折れることを防止する２段板バネ状フック式手開き傘を提供する。【解決の手段】傘の主軸１に対してテント張り骨２が５５度、テント張り骨２に対しテント支持骨３が１１０度の角度で、フック係りリング４が留まるよう板バネ状フック６をもう一つ設ける。【選択図】図１
0003160592.tif 000002
【実用新案登録請求の範囲】
【請求項１】
手開き傘の主軸の、折りたたみ部と全開部にある板バネ状フックの間に、もうひとつ板バネ状フックを取りつけて、風雨の圧力の下、半開きの状態で差せるようにした２段板バネ状フック式手開き傘。
【考案の詳細な説明】
【技術分野】
【０００１】  本考案は、板バネ状フックを２段に取り付けた、手開き傘に関するものである。
【背景技術】
【０００２】  風の強い雨の日に、風上に向かって傘を全開の状態で差すことで、傘の骨は折れやすくなり、また、両手による傘の支持が必要であった。
【考案の概要】
【考案が解決しようとする課題】
【０００３】  従来の手開き傘は、傘の主軸にある板バネ状フックが折りたたみ部と全開部の２ヶ所だけであり、風雨の強い日に全開の状態で差すことで、テント張り骨およびテント支持骨が風圧により容易に折れた。従って、傘全開部と折りたたみ部の間にもうひとつ板バネ状フックを取りつける。これにより風雨時にテント張り骨とテント支持骨を折れにくくしたものである。
【考案が解決するための手段】
【０００４】  傘の主軸に、傘のテント張り骨が主軸に対して半開きの状態で留まるように、板バネ状フックをもう一つ取りつける。これにより、傘が全開ではなく、半開きの状態で差すことを可能にする。
【考案の効果】
【０００５】  傘の主軸に、傘が上述の半開きの位置で留まる板バネ状フックを設ける事で、風の強い雨の日、風上に向かい傘を差した時、風圧力を逃し、傘のテント張り骨とテント支持骨を折れにくい構造とし、且つ片手による傘の支持を可能にする。
【図面の簡単な説明】
【０００６】
【図１】本考案の２段板バネ状フック式手開き傘の一実施例を示す正面図である。
【図２】本傘の板バネ上フック部の詳細な透視図。
【考案を実施するための形態】
【０００７】  傘の主軸１に対しテント張り骨２が５５度、テント張り骨２に対しテント支持骨３が１１０度の角度で、フック係りリング部４が留まるよう板バネ状フック６をもう一つ設ける。これにより風の強い日に、風上に傘を向けても、受ける風圧力を逃し、且つ片手による傘の支持を可能とする。
【符号の説明】
【０００８】１  主軸
２  テント張り骨
３  テント支持骨
４  フック係りリング
５  板バネ状フック、全開状態
６  板バネ状フック、半開き状態
７  板バネ状フック、折りたたみ状態
８  ストッパー
９  天井テント
１０  当て布部
１１  テント張り骨受け部
１２  水滴受けゴム
１３  骨継手部
１４  手元支持部
【図１】
0003160592.tif 000003
【図２】
0003160592.tif 000004
(57)【要約】      （修正有）【課題】非常時に人を安全な場所に誘導することができる巾木を提供する。【解決手段】巾木の表面に避難誘導表示を設ける。又は、巾木に避難誘導表示を印刷した粘着シート又はテープを貼り付ける。【選択図】図３
0003160553.tif 000002
【実用新案登録請求の範囲】
【請求項１】
巾木の表面に避難誘導表示を設けたことを特徴とする巾木。
【請求項２】
巾木の上に貼る避難誘導表示を設けた事を特徴とする粘着シート又はテープ。
【請求項３】
避難誘導表示を設けた事を特徴とするボーダーシート。
【考案の詳細な説明】
【技術分野】
【０００１】
本考案は、避難誘導表示がある巾木、既設の巾木の表面に貼る避難誘導表示がある粘着シート又はテープ、避難誘導表示のあるボーダーシートに関するものである。
【背景技術】
【０００２】
従来、巾木は床と壁接する部分、壁の最下部に帯状に取り付ける仕上げ資材であり、掃除や靴・スリッパでの壁紙の汚れ・傷み・はがれ等の保護を行うための物である。
巾木の素材は木やビニル製で、一般的に柄は木目調又は単色であり壁紙を守る資材である。
ボーダーシートは主に壁のインテリア的な装飾として使われている。
【先行技術文献】
【特許文献】
【０００３】
【特許文献１】特開２００６−３４８７２０
【考案の概要】
【考案が解決しようとする課題】
【０００４】
従来の巾木は壁紙を保護するためだけの物であったが、巾木の表面に避難誘導表示を設けることにより、非常時に人を安全な方向に導くことを課題とする。ボーダーシートも同じく避難誘導表示を設けることにより、非常時に人を安全な方向に導くことを課題とする。
【課題を解決するための手段】
【０００５】
巾木の表面に避難方向を示すためのデザインまたは印刷を行う。既設の巾木については避難方向を示したデザインまたは印刷をした、粘着シート又はテープを貼り付けることで課題を解決する。ボーダーシートについても避難方向を示したデザインまたは印刷した物で課題を解決する。
【考案の効果】
【０００６】
壁紙を守る為、又はインテリアとしての巾木やボーダーシートであったが、避難誘導表示付きにする事により非常時に人を安全な場所に誘導し、人命を守るための支援を行う。
【図面の簡単な説明】
【０００７】
【図１】本考案の粘着シート又はテープ、ボーダーシートの平面図である。
【図２】本考案の巾木の斜視図である。
【図３】設置例図である。
【考案を実施するための形態】
【０００８】
以下、本発明を実施するための最良の形態について説明する。
従来の巾木の表面は木目調や単色であるが、その上に避難誘導表示を印刷、又はデザインする。避難誘導表示は蓄光タイプで防炎素材が望ましい。何故なら火災や地震で停電時や夜間でも確認でき安全性が確保できるからである。粘着シート、テープ、ボーダーシートも同仕様とする。
【産業上の利用可能性】
【０００９】
本考案による巾木、粘着シート、テープ、ボーダーシートを病院・老人介護施設・公共施設・学校・旅館・ホテル・地下街・ショッピングセンター・デパート・映画館・雑居ビル等、人が多く集まる施設で使用することにより非常時の避難誘導で人命の安全確保に役立つ。
【符号の説明】
【００１０】
１  粘着シート、テープ、ボーダーシート
２  巾木
３  避難誘導表示
【図１】
0003160553.tif 000003
【図２】
0003160553.tif 000004
【図３】
0003160553.tif 000005
【手続補正書】
【提出日】平成22年4月27日(2010.4.27)
【手続補正１】
【補正対象書類名】実用新案登録請求の範囲
【補正対象項目名】全文
【補正方法】変更
【補正の内容】
【実用新案登録請求の範囲】
【請求項１】
巾木の表面に避難誘導表示を設けたことを特徴とする巾木。
【請求項２】
避難誘導表示を印刷した粘着シート又はテープを貼り付けたことを特徴とする巾木。
(57)【要約】      （修正有）【課題】ブラインド・ロールカーテン等の高さを変更してブラインド・ロールカーテン等の無い部分より光がよく入り又開放すれば通風が良くなるブラインド・ロールカーテンを提供する。【解決手段】窓の左右に設置される２本のガイドレ−ル金具１、２本のガイドレ−ル金具上を上下に移動可能な移動用金具２、当該移動用金具に取り付けられるブラインド４を備え、上記移動用金具を上下に移動することによりブラインドの高さ調整を行うことを特徴として移動式ブラインドを形成する。【選択図】図２
0003160721.tif 000002
【実用新案登録請求の範囲】
【請求項１】
高さ移動が自由に出来るブラインド・ロ−ルカ−テン
【考案の詳細な説明】
【考案の詳細な説明】
【考案が解決しようとする課題】
【０００１】現在のブラインド・ロ−ルカ−テン等は窓天端に取付けの為ブラインド・ロ−ルカ−テン等を下ろした場合通風  採光が悪くなる
【課題を解決するための手段】
【０００２】ブラインド・ロ−ルカ−テン等を必要な位置に移動出来るようにする
【考案の効果】
【０００３】季節によりブラインド・ロ−ルカ−テン等の高さを変更すればブラインド・ロ−ルカ−テン等の無き部分より光がよく入り又開放すれば通風が良くなる
【図面の簡単な説明】
【０００４】
【図１】製品・上面図
【符号の説明】１ブラインド等移動用ガイドレ−ル金具
２ブラインド等移動用金具（本体）
３ブラインド等移動用金具止め金物
【図２】
【符号の説明】製品・正面図
１ブラインド等移動用ガイドレ−ル金具
２ブラインド等移動用金具（本体）
３ブラインド等移動用金具止め金物
４ブラインド本体
５ブラインド開閉紐
【図３】
【符号の説明】製品・断面図
１ブラインド等移動用ガイドレ−ル金具
２ブラインド等移動用金具（本体）
３ブラインド等移動用止め金物
４ブラインド本体
【図１】
0003160721.tif 000003
【図２】
0003160721.tif 000004
【図３】
0003160721.tif 000005
【手続補正書】
【提出日】平成21年8月5日(2009.8.5)
【手続補正２】
【補正対象書類名】実用新案登録請求の範囲
【補正対象項目名】全文
【補正方法】変更
【補正の内容】
【実用新案登録請求の範囲】
【請求項１】
ブラインド等移動用金具「箱型のブラインドボックス」にブラインド本体「市販（既製品）されているブラインド又はロ−ルカ−テン」を組込みブラインド等移動用金具を両サイドのガイドレ−ルに沿ってブラインド等移動用金具を上下移動し高さを決定したらブラインド等移動用金具に付けた止め金具にてガイドレ−ルへ固定する
【手続補正書】
【提出日】平成21年10月21日(2009.10.21)
【手続補正２】
【補正対象書類名】実用新案登録請求の範囲
【補正対象項目名】全文
【補正方法】変更
【補正の内容】
【実用新案登録請求の範囲】
【請求項１】
箱型移動用金具に「ブラインド」「ロ−ルカ−テン」を組込む窓枠に付けたガイドレ−ルに箱型移動用金具を取付けた高さ移動式ブラインド・ロ−ルカ−テン
【手続補正書】
【提出日】平成21年12月15日(2009.12.15)
【手続補正１】
【補正対象書類名】実用新案登録請求の範囲
【補正対象項目名】全文
【補正方法】変更
【補正の内容】
【実用新案登録請求の範囲】
【請求項１】
▲１▼・ガイドレ−ル金物を窓枠に取り付ける
▲２▼・箱形移動用金具に「既製品のブラインド」又は「既製品のロ−ルカ−テン」を組込む
▲３▼・▲１▼のガイドレ−ルに▲２▼の箱形移動用金具を移動用止め金具にて取り付け▲１▼のガイドレ−ルに沿って高さ移動が出来る
移動式「ブラインド」又は「ロ−ルカ−テン」
【手続補正書】
【提出日】平成22年3月17日(2010.3.17)
【手続補正１】
【補正対象書類名】実用新案登録請求の範囲
【補正対象項目名】全文
【補正方法】変更
【補正の内容】
【実用新案登録請求の範囲】
【請求項１】
窓の左右に設置される２本のガイドレ−ル金具、２本のガイドレ−ル金具上を上下に移動可能な移動用金具、当該移動用金具に取り付けられるブラインドを備え、上記移動用金具を上下に移動することによりブラインドの高さ調整を行うことを特徴とする移動式ブラインド
【請求項２】
窓の左右に設置される２本のガイドレ−ル金具、２本のガイドレ−ル金具上を上下に移動可能な移動用金具、当該移動用金具に取り付けられるロ−ルカ−テンを備え、上記移動用金具を上下に移動することによりロ−ルカ−テンの高さ調整を行うことを特徴とする移動式ロ−ルカ−テン
(57)【要約】      （修正有）【課題】車椅子常用の障害者の人が記念日となるセレモニーに健常者と同様に長時間着用が可能な車椅子専用の和服を提供する。【解決手段】後身頃のお尻部分を車椅子に座った形状にする為の寸法と前身頃の寸法の差を、おはしょりの内側に角度を取ることにより調整して上衣、下衣共に和服仕様に仕立てる。又、左上前と右下前はマジックテープ（登録商標）にて固定し、前面のみ帯上げ、帯締め等セットした帯を同じくマジックテープ（登録商標）で装着するよう車椅子専用和服一式を構成する。【選択図】図１
0003160728.tif 000002
【実用新案登録請求の範囲】
【請求項１】
後身頃のお尻部分が車椅子に座った形状で、上衣、下衣（前後含む）共に和服仕様仕立て、左上前と右下前はマジックテープ（登録商標）にて固定し、前面のみ帯上げ、帯締め等セットした帯を同じくマジックテープ（登録商標）で装着する車椅子専用和服一式。
【考案の詳細な説明】
【技術分野】
【０００１】服飾
【背景技術】
【０００２】福祉介護服
【考案の概要】
【考案が解決しようとする課題】
【０００３】着脱安易な為、トイレも使用出来る等、長時間和服着用可能となる。
【課題を解決するための手段】
【０００４】人が車椅子に座った形状の和服で、後お尻部分を座形にする為の寸法と前身頃の寸法の差を、おはしょりの内側に角度を取ることにより調整。
【考案の効果】
【０００５】人生の記念日に健常者と同じ喜びが持てる。
【図面の簡単な説明】
【０００６】
【図１】車いす専用和服一式を着用して車椅子に座った時の全体をを示した図面である。
【図２】普通コートの型紙を座形に変形し、上衣下衣を和服仕様と組み合わせた型紙。
【考案を実施するための形態】
【０００７】お尻部分座位の形状に合わせた形態と前面身頃は和服を洋服仕様に打合せ、簡単に着脱出来る形態。
【実施例】
【０００８】
【産業上の利用可能性】
【０００９】車椅子常用の人達の着脱安易な和服が現状では製品化されていない。
【符号の説明】
【００１０】図１    前面    斜線・・・簡易帯の装着
Ａ・・・上身頃及び袖
Ｂ・・・おはしょり
Ｃ１・・・おく身
Ｃ２・・・前身頃
横面    斜線・・・簡易帯の装着
Ａ・・・上身頃及び袖
Ｂ・・・おはしょり
Ｃ２・・・前下身頃
Ｃ３・・・後下身頃
Ｅ・・・座居形状の後下半身部分
図２              Ａ・・・上身頃前後
Ｂ・・・おはしょり
☆おはしょりの内側
Ｃ１・・・おく身
Ｃ２・・・前下身頃
Ｃ３・・・後下身頃
Ｅ・・・後腰から尻部分
○・・・袖山
ａ・・・袖口
ｂ・・・身八ツ口
【図１】
0003160728.tif 000003
【図２】
0003160728.tif 000004
【手続補正書】
【提出日】平成21年12月16日(2009.12.16)
【手続補正１】
【補正対象書類名】図面
【補正対象項目名】図２
【補正方法】変更
【補正の内容】
【図２】
0003160728.tif 000005
【手続補正２】
【補正対象書類名】明細書
【補正対象項目名】００１０
【補正方法】変更
【補正の内容】
【００１０】    Ａ  ・・・上身頃及び袖（袖の図は省略）    Ｂ  ・・・おはしょり    ☆  ・・・おはしょりのたたみ部分    Ｃ１  ・・・おく身    Ｃ２  ・・・前下身頃    Ｃ３  ・・・後下身頃    Ｅ  ・・・座居形状の後下半身部分    Ｆ  ・・・長さ調整ひも    ａ〜ｏ〜ａ  ・・・袖付け部    ａ〜ｂ  ・・・身ヤツ口
【手続補正書】
【提出日】平成22年3月15日(2010.3.15)
【手続補正１】
【補正対象書類名】実用新案登録請求の範囲
【補正対象項目名】全文
【補正方法】変更
【補正の内容】
【実用新案登録請求の範囲】
【請求項１】
後身頃のお尻部分が車椅子に座った形状で、上衣、下衣共に和服仕様仕立て、左上前と右下前はマジックテープ（登録商標）にて固定し、前面のみ帯上げ、帯締め等セットした帯を同じくマジックテープ（登録商標）で装着する車椅子専用和服一式。
(57)【要約】      （修正有）【課題】皮革等被材料で騒音を出さずに容易に縫製用の目付穴を開けることができるハンドパンチを提供する。【解決手段】一対の本体と支点部リベットを介して開閉可能なグリップキャップを有したペンチで、本体先端部に刃を固定させ、グリップキャップを開閉させることにより縫製用穴を切断する。【選択図】図３
0003160727.tif 000002
【実用新案登録請求の範囲】
【請求項１】
本考案は皮革等被材料に縫製用穴を開ける際に木槌等で叩かないために静音作業が可能な特徴を持つハンドパンチである。
【考案の詳細な説明】
【技術分野】
【０００１】
本考案は皮革等の縫製作業に利用される手動工具に関するものである。
【背景技術】
【０００２】
皮革等を縫製する際には縫製箇所を事前に糸を通す穴を開けておく必要があり、専用の
目付打ちを木槌等で叩いて穴を開けていたが、かなりの騒音が発生する為、夜間等に使用
する事が難しかった。
【考案の開示】
【考案が解決しようとする課題】
【０００３】
本考案は皮革等被材料で騒音を出さずに容易に縫製用の目付穴を開ける事で解決する。
【課題を解決するための手段】
【０００４】
本考案はペンチ構造でペンチ先端に目付用の刃を付けてある為、握る事で容易に目付用
の穴を開けることが可能である。
【考案の効果】
【０００５】
本考案にてペンチ先端に目付用刃を付けて穴を開ける事で騒音が発生しなくなり、夜間
等に騒音を気にせず作業をすることが可能である。
【考案を実施するための最良の形態】
【０００６】
本考案を実施するための最良の形態は図面をもって説明する。
【０００７】
図３の状態時に刃２の間に皮革等の穴を開けたい被材料を通しグリップキャップ４を握る事で図４の状態へ移行し刃２が被材料の外側から中心に向かい切断し、材料中心で刃２により被材料を貫通する事により穴を開ける。
【０００８】
このとき強力な力で握った時に刃２が互いに衝突しないようにストッパー用エンボス６により刃２が中心で止まることにより刃２の損傷を押さえる特徴をもつ。
【図面の簡単な説明】
【０００９】
【図１】開口状態正面図
【図２】閉口状態正面図
【図３】開口状態斜視図
【図４】閉口状態斜視図
【符号の説明】
【００１０】
１    本体
２    刃
３    バネ
４    グリップキャップ
５    リベット
６    ストッパー用エンボス
ｋ    開口位置
ｈ    閉口位置
【図１】
0003160727.tif 000003
【図２】
0003160727.tif 000004
【図３】
0003160727.tif 000005
【図４】
0003160727.tif 000006
【手続補正書】
【提出日】平成22年1月7日(2010.1.7)
【手続補正１】
【補正対象書類名】実用新案登録請求の範囲
【補正対象項目名】全文
【補正方法】変更
【補正の内容】
【実用新案登録請求の範囲】
【請求項１】
グリップキャップ４を握る事により、刃２が中心に向かいお互いに被材料を切断し縫製用穴を開けることが可能であり、静音作業が可能である事を特徴とするハンドパンチ。
【手続補正書】
【提出日】平成22年2月17日(2010.2.17)
【手続補正１】
【補正対象書類名】実用新案登録請求の範囲
【補正対象項目名】全文
【補正方法】変更
【補正の内容】
【実用新案登録請求の範囲】
【請求項１】
形状がペンチ構造でペンチ両側先端に刃２を取り付けてあり、握る事により刃２が中心に向かいお互いに被材料を切断しながら縫製用穴を開けることで作業音が抑えられ、また縫製用穴を開ける際に通常の打ち抜き目打ちで発生する打ち抜き音が発生しないため、静音作業が可能である事を特徴とするハンドパンチ。
【手続補正書】
【提出日】平成22年4月7日(2010.4.7)
【手続補正１】
【補正対象書類名】実用新案登録請求の範囲
【補正対象項目名】全文
【補正方法】変更
【補正の内容】
【実用新案登録請求の範囲】
【請求項１】
一対の本体１と支点部リベット５を介して開閉可能なグリップキャップ４を有したペンチで、本体１先端部に刃２を固定させ、グリップキャップ４を開閉させることにより縫製用穴を切断ことを特徴とするハンドパンチ。
(57)【要約】      （修正有）【課題】アクセサリーの出し入れ脱着が簡単に出来、使うことも飾ることも可能にした額縁を提供する。【解決手段】額縁枠の後枠５内側の上下左三辺に溝を設け、アクセサリーが簡単に脱着できる取付台２を固定したスライダーを、溝を案内にして出し入れすることにより、アクセサリーを簡単に自在に、使ったり飾ったりすることが出来る構造を特徴とする。【選択図】図３
0003160722.tif 000002
【実用新案登録請求の範囲】
【請求項１】
額縁枠（図１）の後枠（５）内側の上下左三辺に溝を設け、アクセサリーが簡単に脱着できる取付台（２）を固定したスライダー（図２）を、前記額縁枠の溝を案内にして出し入れすることにより、アクセサリー（特に陶磁器製）を簡単に自在に、使ったり飾ったりすることが出来ることを特徴とするプチ陶額。
【考案の詳細な説明】
【技術分野】
【０００１】  この考案は、アクセサリー（特に陶磁器製）を使用しない時は装飾用として収納でき、アクセサリーとして使用する時は簡単に取り出せる、出し入れ脱着が簡単自在に出来る、「使って飾れる立体額縁」に関するものです。
【背景技術】
【０００２】  アクセサリーを立体額縁に収納することも少なく、した場合でも半固定で室内装飾専用になり、自由に出し入れ脱着できず、アクセサリーとして使用したいときは難しかった。
【考案の概要】
【考案が解決しようとする課題】
【０００３】  特に陶磁器製のアクセサリーを額にいれると陶額として活用可能です。しかしいったん額に入れると半固定になり、アクセサリーとして使用しようとすると、脱着できない、出し入れ脱着が面倒等、額からの出し入れ脱着が自在でなかった。本考案は、以上の欠点を解決する為になされたものです。
【課題を解決するための手段】
【０００４】  額縁の後部枠の一辺と後板面を一体にし、額縁内をスライドできるようにした。アクセサリーとスライド部は取り付け台を介して一体になっており、額縁からの出し入れを簡単自在にした。取り付け台はアクセサリーの取り付け取り外しも簡単に行えるよう、種類に応じた形状にした。本考案は、以上の構成よりなる額縁です。
【考案の効果】
【０００５】  アクセサリー（特に陶磁器製）が出し入れ自在のスライダーと一緒に引き出され、脱着も簡単なために、アクセサリーとして使用しない時は狭い空間でも使用できる室内装飾用プチ陶額として活用でき、アクセサリーとして使用する時も、簡単に取り出し活用することが出来るようになった。
【図面の簡単な説明】
【０００６】
【図１】  本考案の額縁枠組立斜視図。
【図２】  本考案のスライダー組立斜視図。
【図３】  本考案の全体組立斜視図。
【図４】  本考案の横断面を上から見た図。
【図５】  本考案の縦断面を右側から見た図。
【考案を実施するための形態】
【０００７】  以下に本考案を実施する為の形態について説明する。
図１に示す通り、額縁枠は前枠（４）の四辺と後枠（５）の上下左の三辺で構成される。後枠（５）の上下左の三辺内側にスライダー（図２）を出し入れする為の溝を設ける。
図２に示すとおり、スライダーは、額縁枠（図１）の後枠の右辺（１）と後板（３）と、アクセサリーを簡単に脱着出来る取付台（２）で構成されている。
図３に示すとおり、スライダー（図２）を額縁枠（図１）に収納するときは、額縁枠（図１）の後枠（５）の上下二辺の溝に、スライダー（図２）を挿入して左に移動させ、スライダー（図２）の左先端部が、後枠（５）の左辺の溝にはまり込むまで差込み勘合する構造になっている。図４は額縁枠（図１）とスライダー（図２）が勘合した状態で、高さの中心で横に切断し上から見た断面図です。図５は同じく勘合した状態の横幅の中心で縦に切断し右側から見た断面図です。
【符号の説明】
【０００８】  １  後枠右辺
２  取付台
３  後板
４  前枠
５  後枠
【図１】
0003160722.tif 000003
【図２】
0003160722.tif 000004
【図３】
0003160722.tif 000005
【図４】
0003160722.tif 000006
【図５】
0003160722.tif 000007
【手続補正書】
【提出日】平成21年12月7日(2009.12.7)
【手続補正１】
【補正対象書類名】実用新案登録請求の範囲
【補正対象項目名】請求項１
【補正方法】変更
【補正の内容】
【請求項１】
上下左三辺を有する後枠を具備する額縁枠と、アクセサリーを簡単に脱着できる取付台が固定された板状体と前期後枠と対をなすが前期額縁枠に固定されていない右一辺が一体化されたスライダーからなり、前記後枠の前記三辺の内側に前期板状体の厚み幅の溝をそれぞれ有し、前期スライダーが該溝に挿入され自由に出し入れできることを特徴とするプチ陶額。
(57)【要約】      （修正有）【課題】製造が簡単で安価な為、使用の度に洗浄が出来、衛生的にも安心で安全で、万一衛生的に不安が生じた時には破棄しても、安価の為経済的負担の少ない家庭用油引き戻し器を提供する。【解決手段】フライパン等に使用する家庭用油引き器であって、何度も使用した家庭用油引き器を使用した状態のままで放置して置くと油引き器本体の繊維部分５が反り返り、油が硬化して元に戻すのが困難になる。そこで、合成樹脂で作成したツバの中心部に油引きの本体の通る穴を開けた家庭用油引き戻し器１を本付付属の金具４に取り付け、繊維部分５が反り返っているのを家庭用油引き戻し器１で本体付属の金具４を下げることにより油引き器本体の繊維部分５を元の状態に戻して当初の能力が発揮できるようにする。【選択図】図３
0003160729.tif 000002
【実用新案登録請求の範囲】
【請求項１】
本考案は、家庭で料理する時使用するものであるが、フライパンに油を全体に薄く引いて使用するが、使用したまま放置しておくと油引き本体が外側に反り返り次に使用する時点には油が硬くなり元に戻すのが大変である。
【考案の詳細な説明】
【技術分野】
【０００１】
本考案は、ほぼ家庭で毎日使用している、フライパンの油引きが使用する度に外側に反り返ったままで放置してあり、次の使用時には油が硬くなっており元の状態に戻して調理する度に不便さを感じ、考えてみた。
【背景技術】
【０００２】
家庭で料理する時、具がくっつかない様に油を引いて使用するが、油引きを使用後本体を元の状態に戻して置けばいいが、流れの中で中々それが出来ない、その為油が固まってしまい後にそれを元に戻すのが中々困難である。
【考案の概要】
【考案が解決しようとする課題】
【０００３】
当器具は、料理をする度に本体に付属の金具を下に下ろし、油を搾り出して使用するが少し手を抜いて、そのままに放置して置くと油が古くなったり硬くなったりして下に下ろす事が非常に困難に成ってくる、そこでこの器具を使用すれば楽に下に下ろす事ができるし、手も汚れないし油に汚れてすべったりしない。
【課題を解決するための手段】
【０００４】
本考案は、日常一般的に料理している人なら分かると思いますが、料理する時に度々手を洗うのは非常に面倒でその度に、料理に時間が係り手際よく料理することが出来ない。
その為、この器具を使用すれば料理が手際よく出来時間も短く出来、料理の途中で手を洗わなくてもよく火の点火や、消化にも気を使わず料理に集中でき料理の味を気にしなくても良い。
【考案の効果】
【０００５】
本考案は、材料は木材か合成樹脂でよく、加工が簡単で安価でもあり作りも簡単であるため使用後直ぐ洗う事が出来常に、清潔を保つ事出来て安全である。                
【図面の簡単な説明】
【０００６】
【図１】本考案器具を上から見た図である。
【図２】本考案器具を横から見た図である。
【図３】本考案器具を油引き本体の使用後に付けた図である。
【図４】油引き本体の図である。
【符号の説明】
【０００７】
１  本考案器具。
２  油引き本体の入る穴である。
３  本体に付けてある付属の金具を止める釘の通る溝である。
４  本体についている付属の金具である。
５  油引き本体の繊維の部分である。
６  油引き本体の木の部分である。
７  金具を止める釘である。
【考案を実施するための形態】
【０００８】
図１の２の部分に油引き本体を入れて本体付属の金具の下部に出っ張りがあるので使用後そり返ている綿の部分（５）を元に戻す。
【０００９】
本考案で、油引きを元の状態に戻して使用すれば手も汚れず、かんたんに料理が出来る。
【図１】
0003160729.tif 000003
【図２】
0003160729.tif 000004
【図３】
0003160729.tif 000005
【図４】
0003160729.tif 000006
【手続補正書】
【提出日】平成22年2月23日(2010.2.23)
【手続補正１】
【補正対象書類名】実用新案登録請求の範囲
【補正対象項目名】全文
【補正方法】変更
【補正の内容】
【実用新案登録請求の範囲】
【請求項１】
本考案は、家庭用油引き戻し器に関する技術であって、何度も使用した家庭用油引き器を使用した状態のままで放置して置くと（３）の５が反り返り、油が硬化して元に戻すのが困難になる為（図１，２，３）の中に表記してある、１を本体４に取り付け（図３）の５が反り返っているのを１で４を下げることにより５を元の状態に戻して当初の能力が発揮できて、又製造が簡単で安価な為、使用の度に洗浄が出来、衛生的にも安心で安全で、万一衛生的に不安が生じた時には破棄しても、安価の為経済的負担の少ない家庭用油引き戻し器。
【手続補正書】
【提出日】平成22年4月23日(2010.4.23)
【手続補正１】
【補正対象書類名】実用新案登録請求の範囲
【補正対象項目名】全文
【補正方法】変更
【補正の内容】
【実用新案登録請求の範囲】
【請求項１】
合成樹脂で作成したツバの中心部に油引きの本体の通る穴を開けた家庭用油引き戻し器。
(57)【要約】      （修正有）【課題】野外に設置して、野生獣が近寄らないようにする野獣鳥防除臭い発散容器を提供する。【解決手段】下部中心に杭を設けた溶液受け皿と、中心部に溶液ビンが取り付けられる貫通ネジ部を設けた屋根状蓋からなり、溶液受け皿と屋根状蓋の間に溶液が発散できる隙間を設ける。【選択図】図１
0003160753.tif 000002
【実用新案登録請求の範囲】
下部中心に杭を設けた溶液受け皿と、中心部に溶液ビンが取り付けられる貫通ネジ部を設けた屋根状蓋からなり、溶液受け皿と屋根状蓋の間に溶液が発散できる隙間を設けた発散容器。
【考案の詳細な説明】
【技術分野】
【０００１】本考案は野生獣が嫌がる臭いを液を、野外に置き発散させて、野生獣が近寄らないようにするための、発散容器の考案です。
【背景技術】
【０００２】従来から、トイレなどには臭い消しの容器が使用されていますが、野外に置くために、簡単に倒れないように容器の下部に杭を設け、溶液受け皿に、溶液のビンを逆さにセットして、溶液が［トリチェリーの定理］で常時受け皿に湛えて置き、発散させる容器です。
【考案の開示】
【考案の解決使用とする課題】
【０００３】野外に容器を設置するために、風などで倒れないようにして、溶液発散箇所に雨水が入らないようにしたものです。
【課題を解決する手段】
受け皿容器の下部中心に杭を設け土中に刺し込み倒れないようし、容液受け皿上部に屋根型蓋を被せても、液の臭いが発散できる隙間を設け、屋根型蓋の中心に溶液ビンを逆さに立てセットできるネジ部を設け、［トリチェリーの定理］で常時安定発散できる考案です。
【考案の効果】
既に、溶液の実験は進み、容器の開発が期待されていすます。
【実施例】開発された溶液で、野獣が出ないと報告されています。
【図面の簡単な説明】
【０００７】
【図１】下部中心部に杭１を設けた溶液受け皿２と、中心部に溶液ビンが取り付けられる貫通ネジ部３を設けた屋根状蓋４からなり、溶液受け皿２と屋根状蓋４の間に溶液が発散できる隙間５を設けた発散容器。１  杭  ２  溶液受け皿  ３  貫通ネジ部  ４  屋根状蓋  ５  隙間
【図１】
0003160753.tif 000003
(57)【要約】      （修正有）【課題】箱型形状の額縁の奥行を自在に変更できる額縁を提供する。【解決手段】額縁前面周囲を構成する縁辺部１の背後に一体的に取り付けられる矩形形状の前部筐体２とこの外壁面あるいは内壁面と勘合し摺りあってその中心軸方向に移動可能な壁面を有する箱形状の後部筐体３を設け、その箱形状の底面にあたる背面板４または内壁面に展示体を装着し、前記両筐体の相対位置を適宜調節して最適な位置で互いに締結し奥行を調節可能にする。【選択図】図１
0003160758.tif 000002
【実用新案登録請求の範囲】
【請求項１】
額縁の前面周囲を構成する縁辺部の背後に矩形形状の前部筐体を有し、この外壁面あるいは内壁面と勘合し摺りあってその中心軸方向に移動可能な壁面を有する箱形状の後部筐体を設け、その箱形状の底面にあたる背面板または内壁面に展示体を装着し、前記両筐体の相対位置を適宜調節して最適な位置で互いに締結し奥行きを調節可能なるようにして成る額縁。
【請求項２】
請求項１に記載する額縁において該前部筐体の内側の面に照明用光源を設け、該後部筐体に装着される展示体をその前面ないし側面から照明できるようにして成る額縁。
【考案の詳細な説明】
【技術分野】
【０００１】本考案は箱型形状の額縁の奥行きを自在に変更できる額縁に関するものである。
【背景技術】
【０００２】  近年、平面状の文書や図画と異なり数センチメートル程度の奥行きを有する物品を内蔵して展示に供するいわゆるシャドーボックスなどの額縁あるいはフレームが普及しつつある。然るにこれらのものは躯体の奥行きあるいは厚みが固定されている。
【考案の開示】
【０００３】本考案の額縁の躯体を主にその前面周囲を構成する額縁縁辺部背後の矩形形状の前部筐体と、この外壁面あるいは内壁面と勘合し摺動可能な壁面を有する箱形状の後部筐体に分割し、両筐体を適宜移動調節して最適な位置で互いに締結し奥行きを調節可能なるようにする。
【考案が解決しようとする課題】
前述のように、従来の額縁は躯体の奥行きあるいは厚みが固定されているためひとつの額縁で展示体のある程度の奥行きあるいは厚みの違いに適切に対応できず、特に展示体の厚みが額縁躯体の奥行きより大きい場合は額縁前面のガラスを除去したり、より厚みの大きな額縁躯体に変更したりしなければならず大変面倒であった。
【０００４】
【課題を解決するための手段】
【０００５】額縁前面周囲を構成する縁辺部の背後に一体的に取り付けられる矩形形状の前部筐体とこの外壁面あるいは内壁面と勘合し摺りあってその中心軸方向に移動可能な壁面を有する箱形状の後部筐体を設け、その箱形状の底面にあたる背面板または内壁面に展示体を装着し、前記両筐体の相対位置を適宜調節して最適な位置で互いに締結し奥行きを調節可能なるようにする。
【考案の効果】
【０００６】本考案により、従来は額縁の収納部の奥行きに比して展示体の厚みが過大で収納が困難である場合も調節機能により奥行きを増すことにより収納ができたり、逆に展示体の厚みが小さく額縁の奥行きも小さくして最適の展示効果を得られたりするようになる。この結果ひとつの額縁に対して、展示体は通常の平面的な図画や写真や文書だけでなく油絵、押し花、パッチワーク、粘土や紙の工芸品、人形、模型あるいはレリーフ等の立体性のある対象を広く使うことができるようになる。また、本考案の額縁は従来の物より奥行きが取れることから後述のように額縁の内壁面に照明装置を設け展示体をほぼ前側面から照明することも容易になり、より美しく立体的な展示効果を得ることができる。特に展示体に加工を加えない通常状態のままでほぼ均等な明るさで照明でき、業務用の照明付き広告板、展示装置、表示板等にも活用できる。
【実施例】
【０００７】以下、本考案を図１の応用実施例について説明する。図１の左側は本考案による装置の代表例としての奥行き調節可能な額縁の概略平面図であり、右側の図の上半分はその平面図におけるＹ−Ｙ側断面図でかつ下半分は側面の外観図である。本装置の構造は主に額縁の縁辺部（１）、前部筐体（２）、後部筐体（３）、背面板（４）、額縁表面の透明板（５）、およびマット紙（６）よりなり、この額縁内部には展示体（８）を収納する。なお、図１におけるＸ−Ｘ線は平面図の上下の対称線を、Ｚ−Ｚ線はＸ−Ｘ線およびＹ−Ｙ線が構成する平面と直行する軸方向の線で額縁の奥行き方向を示す。【０００８】従来の額縁においては額縁の縁辺部（１）は背面に筐体が取り付けられ奥行きは固定されている。本考案はこの筐体を前部筐体（２）と後部筐体（３）に分割し、それぞれが互いに嵌めあいかつＺ−Ｚ線の示す両筐体の共通軸方向に摺動してあたかもひとつの筐体の奥行きが変化するような効果、機能を実現する。図１の側断面で示すようにその奥行きは最大で前部筐体の約２倍弱程度まで拡大可能となる。この結果額縁内部に収納する展示体（８）は同図のように平面状でなく立体的な形態であってもその厚みに応じて後部筐体（３）をＺ−Ｚ線方向に移動し調節して対応できる。もちろん展示体（８）の厚みは前記両筐体が構成できる最大奥行き以内であることは必要であり、両筐体は必要に応じ互いにネジ（７）、もしくはピンを用いて締結する。また展示体（８）は後部筐体（３）の背面に設けられる背面板（４）あるいは後部筐体（３）の内壁面に装着し収納するが、装着の便宜上この背面板（４）は後部筐体（３）と分離可能とし図１のＡ部で示すようにネジ（図示せず）で着脱可能としてもよい。ここに透明板（５）は通常ガラス、アクリルあるいはポリカーボネートを用い、マット紙（６）は飾り縁として額縁前面から展示体（８）の見栄えを向上させるために必要に応じて用いる。【０００９】なお、前部筐体（２）の内壁に照明用光源（１０）を設け照明装置として用いることもできる。これにより展示体（８）は奥行きが調節されることにより最適の照明を得やすくなる。
【図面の簡単な説明】
【００１０】
【図１】本考案に係る構造の概略平面図及び側断面図（上半分）と側面図（下半分）
【符号の説明】
【００１１】（１）縁辺部  （２）前部筐体  （３）後部筐体  （４）背面板  （５）透明板
（６）マット紙  （７）ネジ  （８）展示体
【図１】
0003160758.tif 000003
(57)【要約】【課題】  液体がこぼれた場合に形状や強度が変り難く、カップの安定性が良く、複数個のカップを容易に持ち運びできるカップホルダー付きトレーを得る。【解決手段】  一対の側板２と向う板３とにスライド溝２ａ，３ａを有するトレー本体１０とこのトレー本体１０のスライド溝２ａ，３ａに係合する複数個のカップ保持孔２２を有するカップホルダー部２０とを備える。【選択図】図２
0003160771.tif 000002
【実用新案登録請求の範囲】
【請求項１】
一対の側板と向う板とにスライド溝を有するトレー本体と、このトレー本体のスライド溝に係合する複数個のカップ保持孔を有するカップホルダー部とを備えたことを特徴とするカップホルダー付きトレー。
【考案の詳細な説明】
【技術分野】
【０００１】  この考案は、複数個のカップを同時に持ち運ぶ際に使用されるカップホルダー付きトレーに関するものである。
【背景技術】
【０００２】  従来の複数個のカップを同時に持ち運ぶ際に使用されるトレーとしては、厚紙ないしダンボールで作製され、複数個の筒状容器挿通孔を備えたものがある。（例えば、特許文献１参照）。
【先行技術文献】
【特許文献】
【０００３】
【特許文献１】  実開平３−９０８６８号公報
【考案の概要】
【考案が解決しようとする課題】
【０００４】  上記のような従来のトレーは、紙やダンボールであり、カップの中身の液体がこぼれた場合に、形状や強度が変わるので、繰り返し使用が困難であると言う問題点があった。
また、カップに液体が入っている場合、液体が入ったカップの安定性が悪く、複数個持ち運びすることが困難であると言う問題点もあった。【０００５】  この考案は、上述のような課題を解決するためになされたもので、液体がこぼれた場合に形状や強度が変り難く、カップの安定性が良く、複数個のカップを容易に持ち運びできるカップホルダー付きトレーを得ることを目的とする。
【課題を解決するための手段】
【０００６】  この考案のカップホルダー付きトレーは、一対の側板と向う板とにスライド溝を有するトレー本体と、このトレー本体のスライド溝に係合する複数個のカップ保持孔を有するカップホルダー部とを備えたものである。
【考案の効果】
【０００７】  この考案のカップホルダー付きトレーは、トレー本体が木材や合成樹脂等で形成されているので、液体がこぼれた場合に形状や強度が変り難く、カップの安定性が良く、複数個のカップを容易に持ち運びできる。
また、カップホルダー部をスライドさせてトレー本体から取り外して清掃することが出来るので、繰り返して何度も使用することができる。
【図面の簡単な説明】
【０００８】
【図１】  この考案の一実施の形態を示すカップホルダー付きトレーの斜視図である。
【図２】  図１に示すカップホルダー付きトレーのカップホルダー部を引き出した状態を示す斜視図である。
【図３】  カップホルダー付きトレーの使用状態を示す斜視図である。
【考案を実施するための形態】
【実施例１】
【０００９】  図１は、この考案の一実施の形態を示すカップホルダー付きトレーの斜視図である。図２は、図１に示すカップホルダー付きトレーのカップホルダー部を引き出した状態を示す斜視図である。図３は、カップホルダー付きトレーの使用状態を示す斜視図である。図において、１００はカップホルダー付きトレーであり、トレー本体１０と、カップホルダー部２０とで構成されている。トレー本体１０は、軽量化を考慮した素材、例えば、木材や合成樹脂等で形成されている。また、トレー本体１０は、底板１と、一対の側板２と、向う板３と、前板４とで構成されている。また、側板２と向う板３にはカップホルダー部２０をスライドさせてトレー本体１０より出し入れする一対の第一のスライド溝２ａと、第二のスライド溝３ａが設けられている。
なお、トレー本体１０は、合成樹脂等で一体に形成しても良い。【００１０】  カップホルダー部２０は、カップホルダー本体２１と、このカップホルダー本体２１の一端部２１ａに固着された手掛け部２３とで構成されている。また、カップホルダー部２１は木材や合成樹脂等で形成され、液体を入れたカップ３０（図３に示す）を保持する複数個のカップ保持孔２２が設けられている。
カップホルダー本体２１の短手方向の両端部２１ｂと他端部２１ｃは、トレー本体１０の一対の第一のスライド溝２ａと第二のスライド溝３ａに摺動自在に係合する。【００１１】  上述のように構成されたカップホルダー付きトレー１００は、図３に示すように、１〜約３０個のカップ保持孔２２にカップ３０を入れ、安定した状態で一度に持ち運びすることができる。
また、トレー本体１０が木材や合成樹脂等で形成されているので、液体がこぼれた場合に形状や強度が変り難く、カップの安定性が良く、複数個のカップ３０を容易に持ち運びできる。
また、カップホルダー部２０をスライドさせて取り外し清掃することが出来るので、繰り返して何度も使用することができる。なお、お盆としても使用することも可能である。【００１２】  また、カップ３０を持ち運ぶ盆の機能を有することはもちろん、３０〜４０個の同型円形のカップ保持孔２２を設けることで、風による散乱を防ぎ、カップ３０を安定させることができる。そのため、一度に多数のカップ３０を準備し使用できる。さらに、カップホルダー部２０がスライド式になっているので、取り外してトレー本体１０のみで使用することも可能である。また、屋外のスポーツやイベントなどでも役立つ。【００１３】  なお、上述の実施例１では、トレー本体１０に第一のスライド溝２ａと第二のスライド溝３ａを設けて、カップホルダー部２０をスライドさせて出し入れするように構成したが、トレー本体１０にカップホルダー部２０を蝶番等で繋いでも良い。このような構成により、カップホルダー部２０を開閉して清掃することが出来るので、繰り返して何度も使用することができる。
【符号の説明】
【００１４】  １  底板、２  側板、３  向う板、４  前板、１０  トレー本体、
２０  カップホルダー部、２２  カップ保持孔、１００  カップホルダー付きトレー。
【図１】
0003160771.tif 000003
【図２】
0003160771.tif 000004
【図３】
0003160771.tif 000005
(57)【要約】      （修正有）【課題】一般の錠が取付にくい状態であるときに、その使用を容易にするための万能ロック軸を提供する。【解決手段】錠の使用範囲を格段に広げるため、鉄の棒の一端又は両端に、穴のあいた鉄の輪を取り付けた万能ロック軸を、錠の補助具として活用する。広範囲にわたり、錠の取付けを容易にし、特別な仕様を施す場合が極端に減る。【選択図】図３
0003160772.tif 000002
【実用新案登録請求の範囲】
【請求項１】
鉄の棒の一端又は両端に穴のあいた鉄の輪を取り付け、その輪に錠の開閉軸を差し込んで使用する万能ロック軸。
【考案の詳細な説明】
【技術分野】
【０００１】本考案は、一般の錠が取付にくい状態であるときに、その使用を容易にするための万能ロック軸に関するものである。
【背景技術】
【０００２】これまでの錠はその取付箇所が制限される場合が多く、広範囲にわたって柔軟に取付できるような補助具がなかった。
【先行技術文献】
【特許文献】
【０００３】
【考案の概要】
【考案が解決しようとする課題】
【０００４】除を取付けることが困難な場合は、断念するか又は高額な費用をもって特別な仕様を施す以外なかった。
【課題を解決するための手段】
【０００５】本考案は、錠の使用範囲を格段に広げるため、鉄の棒の一端又は両端に、穴のあいた鉄の輪を取り付けた万能ロック軸を、錠の補助具として活用する。
【考案の効果】
【０００６】広範囲にわたり、錠の取付けを容易にし、特別な仕様を施す場合が極端に減る。
【図面の簡単な説明】
【０００７】
【図１】本考案の万能ロック軸の本体である。
【図２】万能ロック軸本体に錠を取り付けた図である。
【図３】本考案の実施の１概要図である。
【考案を実施するための形態】
【０００８】鉄の棒の一端又は両端に、穴のあいた鉄の輪を取り付けて万能ロック軸を作り、その輪のなかに錠の開閉軸を差し込んで使用する。
【実施例】
【０００９】以下、添付図面に従って実施例を説明する。図１は符号１の鉄の棒の一端又は両端に、符号２の穴のあいた鉄の輪を取り付けた万能ロック軸本体である。【００１０】図１の万能ロック軸に図２のように符号３の錠を取り付けて使用する。【００１１】図３は、万能ロック軸と錠を用いた実施例の１概要図である。【００１２】本考案の実施例は上述のとおりであるから、錠の使用範囲が極端に広がり、特別仕様に費やす経費も大幅に削減できる。
【符号の説明】
【００１３】１  鉄の棒
２  穴のあいた鉄の輪
３  錠
【図１】
0003160772.tif 000003
【図２】
0003160772.tif 000004
【図３】
0003160772.tif 000005
(57)【要約】      （修正有）【課題】相性を診断したい相手がサイト上から設問に答えるだけで手軽に相性を診断することを可能にする相性診断用ステッカーを提供する。【解決手段】本ステッカーの表面に、携帯電話で読み取ることが可能なバーコードを印刷し、利用者が携帯電話や手帳、ノートに貼っておくことで、相性を診断したい相手が携帯電話を使ってバーコードを読み取りウェブサイトに簡単にアクセスし、サイト上で手軽に利用者との相性を診断するために役立つ。【選択図】図１
0003160773.tif 000002
【実用新案登録請求の範囲】
【請求項１】
ステッカーの表面に、携帯電話で読み取ることが可能なバーコードを印刷し、利用者が携帯電話や手帳、ノートに貼っておくことで、相性を診断したい相手が携帯電話を使ってバーコードを読み取りウェブサイトに簡単にアクセスし、サイト上で手軽に利用者との相性を診断できるようにした、バーコード付き相性診断用ステッカー
【考案の詳細な説明】
【産業上の利用分野】
【０００１】  本考案は、ステッカーの表面に、携帯電話で読み取ることが可能なバーコードを印刷し、利用者が携帯電話や手帳、ノートに貼っておくことで、手軽に利用者との相性を診断できるようにした、バーコード付き相性診断用ステッカーに関するものである。
【背景技術】
【０００２】  従来一般に、相性を診断する際には、診断の度に２人がそれぞれ設問に答え自分の性格を分析することにより、性格を判断し２人の相性を診断していた。
【考案の開示】
【考案が解決しようとする課題】
【０００３】１組の相性を診断するために両者が性格診断をする必要があることから、相性を診断するたびに性格診断の為の設問にこたえなければならず、手間がかかるため手軽に相性を診断することが難しかった。従って、予め性格診断を行い自分の性格専用のバーコードが印刷されたステッカーを身近に貼っておき、相性を診断したい相手がサイト上から設問に答えるだけで手軽に相性を診断することを可能にすることで、前述の欠点を解決しようとするものである。
【課題を解決するための手段】
【０００４】  本考案は、ステッカーの表面に、携帯電話で読み取ることが可能なバーコードを印刷し、利用者が予め性格診断を行い自分の性格専用のバーコードが印刷されたステッカーを選んで身近に貼っておくことで、相性を診断するたびに両者が協力して性格診断の為の設問に答えるという手間を省き、手軽に相性を診断できることで問題を解決している。
【考案の効果】
【０００５】  上述の様に、本考案、バーコード付き相性診断用ステッカーは、予め利用者の性格を分析し、利用者の性格に最も近いタイプのバーコード付ステッカーを身近に貼っておくことで、相性診断を行いたいときに、両者の性格をその都度診断する必要を省き、相手の性格を診断するだけで手軽に相性診断を行うことが可能となる。
【図面の簡単な説明】
【０００６】
【図１】本考案の実施例の平面図
【図２】本考案の実施例の側面図
【考案を実施するための形態】
【０００７】  ステッカーの表面に、携帯電話での読み取りに適したサイズのバーコードを印刷し、携帯電話やノートに貼っておける大きさとする。
【実施例】
【０００８】  本考案の実施例について、以下、添付図面に従って一実施例を説明する。図１は本考案の一実施例の平面図である。図１において２は携帯電話で読み取り可能なバーコードであり、この面が見えるよう貼ることができるステッカーである。図２は、本考案の実施例の側面図である。
【符号の説明】
【０００９】１  ステッカー本体
２  携帯電話で読み取り可能なバーコード
【図１】
0003160773.tif 000003
【図２】
0003160773.tif 000004